(57)【要約】      （修正有）【課題】インバータ装置の大型化を抑えつつ、ノイズを抑制可能なインバータ装置を提供する。【解決手段】スナバ回路９は、パワーモジュール５の第一端子６ｎに接続されている第一配線１０と、パワーモジュール５の第二端子６ｐに接続されている第二配線２０と、複数のコンデンサ３０と、を有する。第一配線１０は、並び方向Ｄａに延びる第一近側延在部１２及び第一遠側延在部１３と、第一近側延在部１２と第一遠側延在部１３とを接続すると第一中間接続部１４と、を有する。第二配線２０は、並び方向Ｄａに延びる第二近側延在部２２及び第二遠側延在部２３と、第二近側延在部２２と第二遠側延在部２３とを接続し、第一中間接続部１４と交差している第二中間接続部２４と、を有する。一部のコンデンサ３０は、第一近側延在部１２と第二遠側延在部２３とに接続され、他の一部のコンデンサ３０は、第一遠側延在部１３と第二近側延在部２２とに接続されている。【選択図】図２
2020114089.tif 000002
【特許請求の範囲】
【請求項１】
複数のスイッチング素子と、互いの極性が異なる一対の端子とを有し、一対の端子に対して供給される直流電流を交流電流に変換するパワーモジュールと、
前記一対の端子に接続されているスナバ回路と、
を備え、
前記スナバ回路は、
前記一対の端子のうちの第一端子と第二端子とのうち、前記第一端子に接続されている第一配線と、
前記第二端子に接続されている第二配線と、
前記第一配線と前記第二配線とに接続されている複数のコンデンサと、
前記第一配線及び前記第二配線が少なくとも搭載される基板と、
を有し、
前記第一配線は、
前記基板の表面に沿った方向で且つ前記第一端子と前記第二端子とが並ぶ並び方向に延びる第一近側延在部と、
前記並び方向に延び、前記並び方向で前記第一近側延在部と異なる位置に配置され、前記基板の表面に沿った方向で且つ前記並び方向と異なる交差方向で前記一対の端子を基準にして前記第一近側延在部より遠くなる部分を有する第一遠側延在部と、
前記第一近側延在部と前記第一遠側延在部とを接続すると第一中間接続部と、
前記第一近側延在部と前記第一端子とを接続する第一端子接続部と、
を有し、
前記第二配線は、
前記並び方向に延び、前記交差方向で前記第一遠側延在部に並ぶよう配置され、前記交差方向で前記一対の端子を基準にして前記第一遠側延在部より近くになる部分を有する第二近側延在部と、
前記並び方向に延び、前記交差方向で前記第一近側延在部に並ぶよう配置され、前記前記交差方向で前記一対の端子を基準にして前記第一近側延在部より遠くになる部分を有する第二遠側延在部と、
前記第二近側延在部と前記第二遠側延在部とを接続し、前記基板の厚さ方向から見て前記第一中間接続部と交差する第二中間接続部と、
前記第二近側延在部と前記第二端子とを接続する第二端子接続部と、
を有し、
複数のコンデンサのうち、一以上のコンデンサは、前記第一近側延在部と前記第二遠側延在部とに接続され、他の一以上のコンデンサは、前記第一遠側延在部と前記第二近側延在部とに接続されている、
インバータ装置。
【請求項２】
請求項１に記載のインバータ装置において、
前記第二近側延在部は、前記交差方向で前記一対の端子を基準にして前記第一遠側延在部より近くに配置され、
前記第二遠側延在部は、前記交差方向で前記一対の端子を基準にして前記第一近側延在部より遠くに配置されている、
インバータ装置。
【請求項３】
請求項１に記載のインバータ装置において、
前記第二近側延在部の一部は、前記基板の厚さ方向から見て前記第一遠側延在部の一部と重なっており、
前記第二遠側延在部の一部は、前記基板の厚さ方向から見て前記第一近側延在部の一部と重なっている、
インバータ装置。
【請求項４】
請求項１から３のいずれか一項に記載のインバータ装置において、
前記複数のコンデンサは、前記第一配線に接続されるコンデンサ第一端子と、前記第二配線に接続されるコンデンサ第二端子と、を有し、
前記複数のコンデンサ毎における、前記コンデンサ第一端子と前記コンデンサ第二端子とを接続する仮想接続線は、互いに平行である、
インバータ装置。
【請求項５】
請求項４に記載のインバータ装置において、
前記複数のコンデンサ毎における前記仮想接続線は、いずれも、前記交差方向に延びている、
インバータ装置。
【請求項６】
請求項１から３のいずれか一項に記載のインバータ装置において、
前記複数のコンデンサは、前記第一配線に接続されるコンデンサ第一端子と、前記第二配線に接続されるコンデンサ第二端子と、を有し、
前記複数のコンデンサのうちの一のコンデンサにおける前記コンデンサ第一端子と前記コンデンサ第二端子とを接続する仮想接続線が延びる方向に対して、他の一のコンデンサにおける前記コンデンサ第一端子と前記コンデンサ第二端子とを接続する仮想接続線が延びる方向が異なる、
インバータ装置。
【請求項７】
請求項１から６のいずれか一項に記載のインバータ装置において、
前記第一近側延在部と前記第二遠側延在部とに接続されている前記コンデンサの数は、前記第一遠側延在部と前記第二近側延在部とに接続されている前記コンデンサの数と同じである、
インバータ装置。
【請求項８】
請求項１から３のいずれか一項に記載のインバータ装置において、
前記複数のコンデンサは、前記第一配線に接続されるコンデンサ第一端子と、前記第二配線に接続されるコンデンサ第二端子と、を有し、
前記複数のコンデンサの数は、三以上の奇数であり、
前記複数のコンデンサのうち、一のコンデンサは、前記第一端子接続部と前記第二端子接続部に接続され、
前記第一近側延在部と前記第二遠側延在部とに接続されている前記コンデンサの数は、前記第一遠側延在部と前記第二近側延在部とに接続されている前記コンデンサの数と同じである、
インバータ装置。
【請求項９】
請求項１から８のいずれか一項に記載のインバータ装置において、
前記第一近側延在部は、前記第一端子接続部との接続部から、前記並び方向で前記第二端子に対して前記第一端子が存在する第一側に延び、
前記第一遠側延在部は、前記第一中間接続部との接続部から、前記並び方向で前記第一端子に対して前記第二端子が存在する第二側に延び、
前記第二近側延在部は、前記第二端子接続部との接続部から、前記第二側に延び、
前記第二遠側延在部は、前記第二中間接続部との接続部から、前記第一側に延びている、
インバータ装置。
【請求項１０】
請求項９に記載のインバータ装置において、
前記第一端子と前記第二端子との中間点と通り、前記交差方向に延びる仮想中心線を基準にして、前記第一配線と前記第二配線とは、対称な形状である、
インバータ装置。
【請求項１１】
請求項１から８のいずれか一項に記載のインバータ装置において、
前記第一近側延在部は、前記第一端子接続部との接続部から、前記並び方向で前記第一端子に対して前記第二端子が存在する第二側に延び、
前記第一遠側延在部は、前記第一中間接続部との接続部から、前記第二側に延び、
前記第二近側延在部は、前記第二端子接続部との接続部から、前記第二側に延び、
前記第二遠側延在部は、前記第二中間接続部との接続部から、前記並び方向で前記第二端子に対して前記第一端子が存在する第一側に延びている、
インバータ装置。
【請求項１２】
請求項１１に記載のインバータ装置において、
前記第一遠側延在部の前記交差方向の幅は、前記第一近側延在部の前記交差方向の幅より広く、
前記第二近側延在部の前記交差方向の幅は、前記第二遠側延在部の前記交差方向の幅より広い、
インバータ装置。
【発明の詳細な説明】
【技術分野】
【０００１】
本発明は、インバータ装置に関する。
【背景技術】
【０００２】
インバータ装置は、複数のスイッチング素子と、互いの極性が異なる一対の端子とを有するパワーモジュールを備える。このパワーモジュールは、直流電流を交流電流に変換する回路である。このようなインバータ装置では、複数のスイッチング素子の動作時に生じるノイズを抑制するためにスナバ回路を備えることが多い。
【０００３】
例えば、以下の特許文献１に記載のインバータ装置におけるスナバ回路は、複数のスナバコンデンサと、を備える。各スナバコンデンサは、いずれも、パワーモジュールの一対の端子に接続されている。
【先行技術文献】
【特許文献】
【０００４】
【特許文献１】特開２０１４−１６５９４９号公報
【発明の概要】
【発明が解決しようとする課題】
【０００５】
特許文献１に記載のスナバ回路をパワーモジュールに設ける場合、このスナバ回路は、複数のスナバコンデンサの他に、パワーモジュールの一対の端子のうちの第一端子に接続されている第一配線と、一対の端子のうちの第二端子に接続されている第二配線と、を備えることになる。複数のスナバコンデンサのそれぞれは、第一配線及び第二配線に接続されることになる。この場合、第一端子と第二端子とが並ぶ並び方向に対して垂直な垂直方向に第一端子から第一配線を延ばし、この垂直方向に第二端子から第二配線を延ばすことが考えられる。
【０００６】
この場合、スナバコンデンサの数の増加に伴って、垂直方向における第一配線及び第二配線の長さが長くなり、インバータ装置が大型化する、という問題点がある。
【０００７】
そこで、本発明は、コンデンサの数が増加しても、インバータ装置の大型化を抑えつつ、ノイズを抑制することができるインバータ装置を提供することを目的とする。
【課題を解決するための手段】
【０００８】
前記目的を達成するための発明に係る一態様のインバータ装置は、
複数のスイッチング素子と、互いの極性が異なる一対の端子とを有し、一対の端子に対して供給される直流電流を交流電流に変換するパワーモジュールと、前記一対の端子に接続されているスナバ回路と、を備える。前記スナバ回路は、前記一対の端子のうちの第一端子と第二端子とのうち、前記第一端子に接続されている第一配線と、前記第二端子に接続されている第二配線と、前記第一配線と前記第二配線とに接続されている複数のコンデンサと、前記第一配線及び前記第二配線が少なくとも搭載される基板と、を有する。前記第一配線は、前記基板の表面に沿った方向で且つ前記第一端子と前記第二端子とが並ぶ並び方向に延びる第一近側延在部と、前記並び方向に延び、前記並び方向で前記第一近側延在部と異なる位置に配置され、前記基板の表面に沿った方向で且つ前記並び方向と異なる交差方向で前記一対の端子を基準にして前記第一近側延在部より遠くなる部分を有する第一遠側延在部と、前記第一近側延在部と前記第一遠側延在部とを接続すると第一中間接続部と、前記第一近側延在部と前記第一端子とを接続する第一端子接続部と、を有する。前記第二配線は、前記並び方向に延び、前記交差方向で前記第一遠側延在部に並ぶよう配置され、前記交差方向で前記一対の端子を基準にして前記第一遠側延在部より近くになる部分を有する第二近側延在部と、前記並び方向に延び、前記交差方向で前記第一近側延在部に並ぶよう配置され、前記前記交差方向で前記一対の端子を基準にして前記第一近側延在部より遠くになる部分を有する第二遠側延在部と、前記第二近側延在部と前記第二遠側延在部とを接続し、前記基板の厚さ方向から見て前記第一中間接続部と交差する第二中間接続部と、前記第二近側延在部と前記第二端子とを接続する第二端子接続部と、を有する。複数のコンデンサのうち、一以上のコンデンサは、前記第一近側延在部と前記第二遠側延在部とに接続され、他の一以上のコンデンサは、前記第一遠側延在部と前記第二近側延在部とに接続されている。
【０００９】
本態様では、第一配線及び第二配線が並び方向に延びる延在部を有している。このため、本態様では、コンデンサの数が増加しても、全コンデンサのうちの少なくとも幾つかのコンデンサを第一配線の延在部及び第二配線の延在部に接続させることで、コンデンサの数の増加に伴って交差方向の長さが長くなることを回避することができる。
【００１０】
本態様では、前述したように、第一配線及び第二配線が並び方向に延びる延在部を有している。しかしながら、本態様における第一配線と第二配線とは、基板の厚さ方向から見て互いに交差しているため、例えば、第一配線が第二配線の外側を遠回りするように配置されることはなく、第一配線の全配線長と第二配線の全配線長を容易に等しくすることができる。このため、本態様では、第一配線のインダクタンスと第二配線のインダクタンスとのアンバランスを抑え、コモンモードノイズの発生を抑制することができる。
【００１１】
ここで、前記一態様のインバータ装置において、前記第二近側延在部は、前記交差方向で前記一対の端子を基準にして前記第一遠側延在部より近くに配置され、前記第二遠側延在部は、前記交差方向で前記一対の端子を基準にして前記第一近側延在部より遠くに配置されてもよい。
【００１２】
また、前記一態様のインバータ装置において、前記第二近側延在部の一部は、前記基板の厚さ方向から見て前記第一遠側延在部の一部と重なっており、前記第二遠側延在部の一部は、前記基板の厚さ方向から見て前記第一近側延在部の一部と重なっていてもよい。
【００１３】
本態様では、第一配線の周りに形成される磁界と第二配線の周りに形成される磁界との相互作用が強まり、第一配線及び第二配線のインピーダンスを小さくすることができる。
【００１４】
以上のいずれかの前記態様（以下、特定態様とする）のインバータ装置において、前記複数のコンデンサは、前記第一配線に接続されるコンデンサ第一端子と、前記第二配線に接続されるコンデンサ第二端子と、を有する。この場合、前記複数のコンデンサ毎における、前記コンデンサ第一端子と前記コンデンサ第二端子とを接続する仮想接続線は、互いに平行であってもよい。
【００１５】
前記複数のコンデンサ毎の仮想接続線が互いに平行である前記態様のインバータ装置において、前記複数のコンデンサ毎における前記仮想接続線は、いずれも、前記交差方向に延びていてもよい。
【００１６】
前記特定態様のインバータ装置において、前記複数のコンデンサは、前記第一配線に接続されるコンデンサ第一端子と、前記第二配線に接続されるコンデンサ第二端子と、を有する。この場合、前記複数のコンデンサのうちの一のコンデンサにおける前記コンデンサ第一端子と前記コンデンサ第二端子とを接続する仮想接続線が延びる方向に対して、他の一のコンデンサにおける前記コンデンサ第一端子と前記コンデンサ第二端子とを接続する仮想接続線が延びる方向が異なってもよい。
【００１７】
以上のいずれかの前記態様のインバータ装置において、前記第一近側延在部と前記第二遠側延在部とに接続されている前記コンデンサの数は、前記第一遠側延在部と前記第二近側延在部とに接続されている前記コンデンサの数と同じであってもよい。
【００１８】
本態様では、第一端子と第二端子との中間点と通り、交差方向に延びる仮想中心線を基準にして、複数のコンバータの配置を容易に対称にすることができる。この結果、本態様では、仮想中心軸を基準として、第一配線の形状と第二配線の形状とを容易に対称にすることができる。
【００１９】
前記特定態様のインバータ装置において、前記複数のコンデンサは、前記第一配線に接続されるコンデンサ第一端子と、前記第二配線に接続されるコンデンサ第二端子と、を有する。前記複数のコンデンサの数は、三以上の奇数であってもよい。この場合、前記複数のコンデンサのうち、一のコンデンサは、前記第一端子接続部と前記第二端子接続部に接続されてもよい。さらに、前記第一近側延在部と前記第二遠側延在部とに接続されている前記コンデンサの数は、前記第一遠側延在部と前記第二近側延在部とに接続されている前記コンデンサの数と同じであってもよい。
【００２０】
本態様では、コンデンサの数が奇数個であっても、第一端子と第二端子との中間点と通り、交差方向に延びる仮想中心線を基準にして、複数のコンバータの配置を容易に対称にすることができる。この結果、本態様では、仮想中心軸を基準として、第一配線の形状と第二配線の形状とを容易に対称にすることができる。
【００２１】
以上のいずれかの前記態様のインバータ装置において、前記第一近側延在部は、前記第一端子接続部との接続部から、前記並び方向で前記第二端子に対して前記第一端子が存在する第一側に延びてもよい。この場合、前記第一遠側延在部は、前記第一中間接続部との接続部から、前記並び方向で前記第一端子に対して前記第二端子が存在する第二側に延びてもよい。さらに、前記第二近側延在部は、前記第二端子接続部との接続部から、前記第二側に延びてもよい。さらに、前記第二遠側延在部は、前記第二中間接続部との接続部から、前記第一側に延びてもよい。
【００２２】
本態様では、第一端子と第二端子との中間点と通り、交差方向に延びる仮想中心線を基準にして、第一配線の形状と第二配線の形状とを容易に対称にすることができる。また、本態様では、各コンデンサに関する配線インダクタンスのばらつきを小さくすることができる。
【００２３】
前記第一近側延在部が、前記第一端子接続部との接続部から前記第一側に延びる、前記態様のインバータ装置において、前記第一端子と前記第二端子との中間点と通り、前記交差方向に延びる仮想中心線を基準にして、前記第一配線と前記第二配線とは、対称な形状であってもよい。
【００２４】
本態様では、仮想中心線を基準にして、第一配線と第二配線とが対称な形状であるため、第一配線のインダクタンスと第二配線のインダクタンスとがバランスし、コモンモードノイズの発生を抑制することができる。
【００２５】
以上のいずれかの前記態様のインバータ装置において、前記第一近側延在部は、前記第一端子接続部との接続部から、前記並び方向で前記第一端子に対して前記第二端子が存在する第二側に延びてもよい。この場合、前記第一遠側延在部は、前記第一中間接続部との接続部から、前記第二側に延びてもよい。さらに、前記第二近側延在部は、前記第二端子接続部との接続部から、前記第二側に延びてもよい。さらに、前記第二遠側延在部は、前記第二中間接続部との接続部から、前記並び方向で前記第二端子に対して前記第一端子が存在する第一側に延びてもよい。
【００２６】
本態様では、コンデンサの数の増加に伴って交差方向の長さが長くなることを回避しつつ、第一配線及び第二配線を第二側に偏って配置させることができる。よって、本態様では、スナバ回路における第一側の占有面積を小さくすることができる。
【００２７】
前記第一近側延在部が前記第一端子接続部との接続部から前記第二側に延びる、前記態様のインバータ装置において、前記第一遠側延在部の前記交差方向の幅は、前記第一近側延在部の前記交差方向の幅より広くてもよい。さらに、前記第二近側延在部の前記交差方向の幅は、前記第二遠側延在部の前記交差方向の幅より広くてもよい。
【００２８】
本態様では、各コンデンサに関する配線インダクタンスのばらつきを小さくすることができる。
【発明の効果】
【００２９】
本発明の一態様では、コンデンサの数が増加しても、インバータ装置の大型化を抑えつつ、ノイズを抑制することができる。
【図面の簡単な説明】
【００３０】
【図１】本発明に係る第一実施形態におけるインバータ装置の回路図である。
【図２】本発明に係る第一実施形態におけるスナバ回路の平面図である。
【図３】本発明に係る第一実施形態における第一配線の平面図である。
【図４】本発明に係る第一実施形態における第二配線の平面図である。
【図５】本発明に係る第一実施形態における第一配線のインピーダンスと第二配線のインピーダンスとの相互作用を説明するための説明図である。
【図６】本発明に係る第一実施形態における各コンデンサに関する配線インダクタンスを説明するための説明図である。
【図７】第一比較例におけるスナバ回路の平面図である。
【図８】第二比較例におけるスナバ回路の平面図である。
【図９】本発明に係る第二実施形態におけるスナバ回路の平面図である。
【図１０】本発明に係る第三実施形態におけるスナバ回路の平面図である。
【図１１】本発明に係る第四実施形態におけるスナバ回路の平面図である。
【図１２】本発明に係る第五実施形態におけるスナバ回路の平面図である。
【図１３】本発明に係る第六実施形態におけるスナバ回路の平面図である。
【図１４】本発明に係る第六実施形態における第一配線の平面図である。
【図１５】本発明に係る第六実施形態における第二配線の平面図である。
【発明を実施するための形態】
【００３１】
以下、本発明に係るインバータ装置の各種実施形態について、図面を参照して詳細に説明する。
【００３２】
「第一実施形態」
本発明に係るインバータ装置の第一実施形態について、図１〜図８を参照して説明する。
【００３３】
第一実施形態におけるインバータ装置は、所定の周波数の三相交流電流を異なる周波数の三相交流電流に変換する装置である。このインバータ装置は、図１に示すように、ダイオード整流回路３と、パワーモジュール５と、スナバ回路９と、を備える。
【００３４】
ダイオード整流回路３は、三相交流電源１からの三相交流電流を直流電流に変換する。このダイオード整流回路３は、三相毎に設けられているダイオード組４を有する。一つのダイオード組４は、二つのダイオード４ａが直列接続されて構成されている。一つのダイオード組４を構成する二つのダイオード４ａ，４ａ相互の接続位置に、三相のうち、いずれか一相の交流電流が流れる配線が接続されている。三相毎のダイオード組４は、三相交流電源１に対して並列接続されている。
【００３５】
パワーモジュール５は、ダイオード整流回路３からの直流電流を三相交流電流に変換して、この三相交流電流を負荷対象２に供給する。このパワーモジュール５は、互いに極性が異なる一対の端子６ｎ，６ｐと、三相毎の設けられているスイッチング素子組７と、を有する。一対の端子６ｎ，６ｐには、ダイオード整流回路３からの直流電流が供給される。一対の端子６ｎ，６ｐのうち、一方の端子６ｎが正極端子で、他方の端子６ｎが負極端子である。前述した三相毎のダイオード組４は、正極端子６ｐと負極端子６ｎとに接続されている。一つのスイッチング素子組７は、二つのスイッチング素子７ａが直列接続されて構成されている。一つのスイッチング素子組７を構成する二つのスイッチング素子７ａ，７ａ相互の接続位置には、三相のうち、いずれか一相の交流電流が流れる配線が接続されている。三相毎の配線は、負荷対象２に接続されている。複数のスイッチング素子７ａは、それぞれ、例えば、ＰＷＭ（Pulse Width Modulation）制御される。
【００３６】
なお、このパワーモジュール５は、六つのスイッチング素子を有する６ｉｎ１型パワーモジュールである。しかしながら、パワーモジュールは、例えば、二つのスイッチング素子を有する２ｉｎ１型パワーモジュール等、他の型のパワーモジュールであってもよい。
【００３７】
スナバ回路９は、パワーモジュール５を構成する複数のスイッチング素子７ａの動作時に生じるノイズを抑制する回路である。このスナバ回路９は、図２に示すように、パワーモジュール５の負極端子である第一端子６ｎに接続されている第一配線１０と、パワーモジュール５の正極端子である第二端子６ｐに接続されている第二配線２０と、第一配線１０と第二配線２０とに接続されている複数のコンデンサ３０と、これらが搭載される基板８と、を備える。
【００３８】
ここで、基板８の表面に沿った方向で且つ第一端子６ｎと第二端子６ｐとが並ぶ方向を並び方向Ｄａとする。この並び方向Ｄａで、第二端子６ｐに対して第一端子６ｎが存在する側を第一側Ｄａ１とし、第一端子６ｎに対して第二端子６ｐが存在する側を第二側Ｄａ２とする。また、基板８の表面に沿った方向で且つ並び方向Ｄａに対して垂直な方向を交差方向Ｄｃとする。この交差方向Ｄｃで、一対の端子６ｎ，６ｐに近づく側を近側Ｄｃｎとし、一対の端子６ｎ，６ｐから遠ざかる側を遠側Ｄｃｆとする。
【００３９】
第一配線１０は、図２及び図３に示すように、第一近側延在部１２と、第一遠側延在部１３と、第一中間接続部１４と、第一端子接続部１１と、を有する。第一端子接続部１１は、第一端子６ｎから遠側Ｄｃｆに延びる。第一近側延在部１２は、第一端子接続部１１における遠側Ｄｃｆの端部から並び方向Ｄａの第一側Ｄａ１に延びている。第一遠側延在部１３は、並び方向Ｄａに延びている。この第一遠側延在部１３は、第一近側延在部１２より遠側Ｄｃｆで且つ並び方向Ｄａで後述の第二端子接続部２１と同じ位置から第二側Ｄａ２に延びている。第一中間接続部１４は、第一近側延在部１２と第一遠側延在部１３とを接続する。この第一中間接続部１４は、第一近側延在部１２における第二側Ｄａ２の端部から、つまり、第一近側延在部１２と第一端子接続部１１との接続部から、遠側Ｄｃｆに向かうに連れて次第に第二側Ｄａ２に向かうよう延びて、第一遠側延在部１３における第一側Ｄａ１の端部に接続されている。
【００４０】
第二配線２０は、図２及び図４に示すように、第二近側延在部２２と、第二遠側延在部２３と、第二中間接続部２４と、第二端子接続部２１と、を有する。第二端子接続部２１は、第二端子６ｐから遠側Ｄｃｆに延びる。第二近側延在部２２は、第二端子接続部２１の遠側Ｄｃｆの端部から並び方向Ｄａの第二側Ｄａ２に延びている。交差方向Ｄｃで、第二端子接続部２１における遠側Ｄｃｆの端部の位置は、第一端子接続部１１における遠側Ｄｃｆの端部の位置と同じである。よって、交差方向Ｄｃで、第二近側延在部２２の位置は、第一近側延在部１２の位置と同じである。第二遠側延在部２３は、並び方向Ｄａに延びている。なお、本出願において、Aの位置とBの位置とが同じ位置であるとは、Aの位置とBの位置とが正確な意味で同じ位置であることの他、Aの位置とBの位置とが実質的に同じ位置であることも含む。例えば、Aの位置に対してBの位置が数ミリずれていても、本願では同じ位置であるとする。
【００４１】
第二遠側延在部２３は、交差方向Ｄｃで第一遠側延在部１３と同じ位置で且つ並び方向Ｄａで第一端子接続部１１と同じ位置から第一側Ｄａ１に延びている。すなわち、この第二遠側延在部２３は、一対の端子６ｎ，６ｐを基準にして第二近側延在部２２より遠側Ｄｃｆの位置で、並び方向Ｄａに延びている。第二中間接続部２４は、第二近側延在部２２と第二遠側延在部２３とを接続する。この第二中間接続部２４は、第二近側延在部２２の第一側Ｄａ１の端部から、つまり、第二近側延在部２２と第二端子接続部２１との接続部から、遠側Ｄｃｆに向かうに連れて次第に第一側Ｄａ１に向かうよう延びて、第二遠側延在部２３の第二側Ｄａ２の端部に接続されている。
【００４２】
第一端子接続部１１と第二端子接続部２１とは、並び方向Ｄａで対向している。第一近側延在部１２と第二遠側延在部２３とは、交差方向Ｄｃで対向している。言い換えると、第一近側延在部１２と第二遠側延在部２３とは、交差方向Ｄｃに並んでいる。第一遠側延在部１３と第二近側延在部２２とは、交差方向Ｄｃで対向している。言い換えると、第一遠側延在部１３と第二近側延在部２２とは、交差方向Ｄｃに並んでいる。
【００４３】
第一中間接続部１４と第二中間接続部２４とは、基板８の厚さ方向から見て、交差している。但し、この厚さ方向で第一中間接続部１４と第二中間接続部２４との間には、絶縁材が配置されている。この絶縁材としては、例えば、基板８を用いることができる。この場合、基板８の表面に第一配線１０を搭載し、基板８の裏面に第二配線２０を搭載する。
【００４４】
第二配線２０は、図２〜図４に示すように、第一端子６ｎと前記第二端子６ｐとの中間点と通り、交差方向Ｄｃに延びる仮想中心線Ｌｃを基準にして、第一配線１０と対称な形状である。なお、本出願で、AとBとが対称であるとは、AとBとが正確な意味で対称であることの他、AとBとが実質的に対称であることも含む。
【００４５】
本実施形態におけるスナバ回路９は、図２に示すように、四つのコンデンサ３０を備える。四つのコンデンサ３０は、互いに同じ容量で且つ同じサイズである。四つのコンデンサ３０は、いずれも、第一配線１０に接続されるコンデンサ第一端子３６と、第二配線２０に接続されるコンデンサ第二端子３７と、を備える。
【００４６】
四つのコンデンサ３０のうち、第一コンデンサ３１のコンデンサ第一端子３６は、第一遠側延在部１３における第一側Ｄａ１の部分に接続されている。また、この第一コンデンサ３１におけるコンデンサ第二端子３７は、第二近側延在部２２における第一側Ｄａ１の部分に接続されている。第二コンデンサ３２におけるコンデンサ第一端子３６は、第一遠側延在部１３における第二側Ｄａ２の部分に接続されている。また、この第二コンデンサ３２におけるコンデンサ第二端子３７は、第二近側延在部２２における第二側Ｄａ２の部分に接続されている。よって、第二コンデンサ３２は、第一コンデンサ３１よりも第二側Ｄａ２に配置されている。第三コンデンサ３３におけるコンデンサ第一端子３６は、第一近側延在部１２における第二側Ｄａ２の部分に接続されている。また、この第三コンデンサ３３におけるコンデンサ第二端子３７は、第二遠側延在部２３における第二側Ｄａ２の部分に接続されている。第四コンデンサ３４におけるコンデンサ第一端子３６は、第一近側延在部１２における第一側Ｄａ１の部分に接続されている。また、この第四コンデンサ３４におけるコンデンサ第二端子３７は、第二遠側延在部２３における第一側Ｄａ１の部分に接続されている。よって、第四コンデンサ３４は、第三コンデンサ３３よりも第一側Ｄａ１に配置されている。
【００４７】
第一配線１０に接続されている第一コンデンサ３１及び第二コンデンサ３２におけるコンデンサ第一端子３６は、これらのコンデンサ３１，３２におけるコンデンサ第二端子３７に対して近側Ｄｃｎに位置している。一方、第一配線１０に接続されている第三コンデンサ３３及び第四コンデンサ３４におけるコンデンサ第一端子３６は、これらのコンデンサ３３，３４におけるコンデンサ第二端子３７に対して近側Ｄｃｎに位置している。
【００４８】
各コンデンサ３０におけるコンデンサ第一端子３６とコンデンサ第二端子３７とを接続する仮想接続線Ｌｔは、いずれも交差方向Ｄｃに延び、互いに平行である。第三コンデンサ３３は、前述の仮想中心線Ｌｃを基準にして第一コンデンサ３１と対称な位置に配置されている。第四コンデンサ３４は、仮想中心線Ｌｃを基準にして第二コンデンサ３２と対称な位置に配置されている。
【００４９】
次に、本実施形態におけるスナバ回路９の効果について説明する前に、二つの比較例におけるスナバ回路について説明する。
【００５０】
まず、第一比較例について、図７を用いて説明する。第一比較例におけるスナバ回路９ｘも、本実施形態におけるスナバ回路９と同様、パワーモジュール５の第一端子６ｎに接続されている第一配線１０ｘと、パワーモジュール５の第二端子６ｐに接続されている第二配線２０ｘと、第一配線１０ｘ及び第二配線２０ｘに接続されている四つのコンデンサ３０と、を備える。
【００５１】
第一配線１０ｘは、第一端子６ｎから交差方向Ｄｃに延びている。第二配線２０ｘは、第二端子６ｐから交差方向Ｄｃに延びている。第一配線１０ｘと第二配線２０ｘとは、並び方向Ｄａで対向している。四つのコンデンサ３０は、交差方向Ｄｃに並んでいる。
【００５２】
この第一比較例におけるスナバ回路９ｘでは、コンデンサ３０の数の増加に伴って交差方向Ｄｃの長さが長くなる。
【００５３】
次に、第二比較例について、図８を用いて説明する。第二比較例におけるスナバ回路９ｙも、本実施形態及び第一比較例におけるスナバ回路と同様、パワーモジュール５の第一端子６ｎに接続されている第一配線１０ｙと、パワーモジュール５の第二端子６ｐに接続されている第二配線２０ｙと、第一配線１０ｙ及び第二配線２０ｙに接続されている四つのコンデンサ３０と、を備える。
【００５４】
第一配線１０ｙは、第一端子接続部１１ｙと、第一延在部１２ｙと、を有する。第一端子接続部１１ｙは、第一端子６ｎから交差方向Ｄｃに延びている。第一延在部１２ｙは、第一端子接続部１１ｙにおける遠側Ｄｃｆの端部から並び方向Ｄａにおける第二側Ｄａ２に延びる。第二配線２０ｙは、第二端子接続部２１ｙと、第二延在部２２ｙと、を有する。第二端子接続部２１ｙは、第二端子６ｐから交差方向Ｄｃに延びている。第二延在部２２ｙは、第二端子接続部２１ｙにおける遠側Ｄｃｆの端部から並び方向Ｄａにおける第二側Ｄａ２に延びる。第二端子接続部２１ｙにおける交差方向Ｄｃの長さは、第一端子接続部１１ｙにおける交差方向Ｄｃの長さより短い。このため、第二延在部２２ｙは、第一延在部１２ｙより近側Ｄｃｎに配置されている。並び方向Ｄａで、第二延在部２２ｙにおける第二側Ｄａ２の端部の位置は、第一延在部１２ｙにおける第二側Ｄａ２の端部の位置と同じ位置である。よって、並び方向Ｄａにおける第二延在部２２ｙの長さは、並び方向Ｄａにおける第一延在部１２ｙの長さより短い。第一延在部１２ｙと第二延在部２２ｙとは、交差方向Ｄｃで対向している。
【００５５】
四つのコンデンサ３０は、第一配線１０ｙの第一延在部１２ｙ及び第二配線２０ｙの第二延在部２２ｙに接続されている。四つのコンデンサ３０は、並び方向Ｄａに並んでいる。
【００５６】
以上のように、第二比較例におけるスナバ回路９ｙは、第一配線１０ｙが並び方向Ｄａに延びる第一延在部１２ｙを有し、第二配線２０ｙが並び方向Ｄａに延びる第二延在部２２ｙを有し、複数のコンデンサ３０が第一延在部１２ｙ及び第二延在部２２ｙに接続されている。よって、第二比較例では、第一比較例のように、コンデンサ３０の数の増加に伴って交差方向Ｄｃの長さが長くなることを回避することができる。
【００５７】
しかしながら、第二比較例では、第一配線１０ｙが第二配線２０ｙの外側を遠回りするように配置され、第一配線１０ｙの配線長が第二配線２０ｙの配線長より長くなり、第一配線１０ｙのインダクタンスが第二配線２０ｙのインダクタンスより大きくなる。このため、第二比較例では、第一配線１０ｙのインダクタンスと第二配線２０ｙのインダクタンスとがアンバランスになり、コモンモードノイズが発生する。
【００５８】
ここで、第二端子６ｐから一のコンデンサ３０までの第二配線２０ｙの配線インダクタンスと、この一のコンデンサ３０から第一端子６ｎまでの第一配線１０ｙの配線インダクタンスとを合わせたインダクタンスを、この一のコンデンサ３０に関する配線インダクタンスとする。
【００５９】
第一比較例及び第二比較例における四つのコンデンサ３０のうち、最も一対の端子６ｎ，６ｐに近いコンデンサ３０である第一コンデンサ３１に関する配線インダクタンスが第一値であるとする。第一比較例及び第二比較例における四つのコンデンサ３０のうち、第一コンデンサ３１の次に一対の端子６ｎ，６ｐに近いコンデンサ３０である第二コンデンサ３２に関する配線インダクタンスを第二値であるとする。第一比較例及び第二比較例における四つのコンデンサ３０のうち、第二コンデンサ３２の次に一対の端子６ｎ，６ｐに近いコンデンサ３０である第三コンデンサ３３に関する配線インダクタンスを第三値であるとする。第一比較例及び第二比較例における四つのコンデンサ３０のうち、最も一対の端子６ｎ，６ｐから遠いコンデンサ３０である第四コンデンサ３４に関する配線インダクタンスを第四値であるとする。
【００６０】
以上の場合、第一比較例及び第二比較例における各コンデンサ３０に関する配線インダクタンスの大小関係は、以下のようになる。
第一値＜第二値＜第三値＜第四値
【００６１】
よって、第一比較例及び第二比較例では、各コンデンサ３０に関する配線インダクタンスのばらつきが大きくなる。
【００６２】
次に、本実施形態におけるスナバ回路９の効果について説明する。
【００６３】
本実施形態におけるスナバ回路９は、第二比較例におけるスナバ回路９ｙと同様、第一配線１０が並び方向Ｄａに延びる延在部１２，１３を有し、第二配線２０が並び方向Ｄａに延びる延在部２２，２３を有する。本実施形態におけるスナバ回路９は、第二比較例におけるスナバ回路９ｙと同様、複数のコンデンサ３０が第一配線１０の延在部１２，１３及び第二配線２０の延在部２２，２３に接続されている。よって、本実施形態でも、第二比較例と同様、コンデンサ３０の数の増加に伴って交差方向Ｄｃの長さが長くなることを回避することができる。
【００６４】
本実施形態におけるスナバ回路９は、前述したように、第二比較例におけるスナバ回路９ｙと同様、第一配線１０が並び方向Ｄａに延びる延在部１２，１３を有し、第二配線２０が並び方向Ｄａに延びる延在部２２，２３を有する。しかしながら、本実施形態における第一配線１０と第二配線２０とは、互いに交差しているため、第二比較例のよう、第一配線１０が第二配線２０の外側を遠回りするように配置されることはなく、第一配線１０の全配線長と第二配線２０の全配線長を容易に等しくすることができる。特に、本実施形態では、第一配線１０と第二配線２０とが、仮想中心線Ｌｃを基準にして対称な形状であるため、第一配線１０の全配線長と第二配線２０の全配線長とが等しくなる。このため、本実施形態では、第一配線１０の配線インダクタンスと第二配線２０の配線インダクタンスとのアンバランスを抑え、コモンモードノイズの発生を抑制することができる。
【００６５】
図５に示すように、本実施形態における第一端子接続部１１ｙと第二端子接続部２１とが並び方向Ｄａで対向している端子側領域Ｒａでは、第一端子接続部１１を流れる電流と第二端子接続部２１を流れる電流が、いずれも、交差方向Ｄｃに流れる。しかしながら、第一端子接続部１１を流れる電流に対して第二端子接続部２１を流れる電流は、逆向きに流れる。このため、第二端子接続部２１の周り形成される磁界が、第一端子接続部１１の周りに形成される磁界により打ち消される。よって、第一端子接続部１１のインピーダンス及び第二端子接続部２１のインピーダンスを小さくすることができる。
【００６６】
本実施形態における第一近側延在部１２と第二遠側延在部２３とが交差方向Ｄｃで対向している第一側領域Ｒｂでは、第一近側延在部１２を流れる電流と第二遠側延在部２３を流れる電流が、いずれも、並び方向Ｄａに流れる。しかしながら、第一近側延在部１２を流れる電流に対して第二遠側延在部２３を流れる電流は、逆向きに流れる。このため、第二遠側延在部２３の周り形成される磁界が、第一近側延在部１２の周りに形成される磁界により打ち消される。よって、第一近側延在部１２のインピーダンス及び第二遠側延在部２３のインピーダンスを小さくすることができる。
【００６７】
本実施形態における第一遠側延在部１３と第二近側延在部２２とが交差方向Ｄｃで対向している第二側領域Ｒｃでは、第一遠側延在部１３を流れる電流と第二近側延在部２２を流れる電流が、いずれも、並び方向Ｄａに流れる。しかしながら、第一遠側延在部１３を流れる電流に対して第二近側延在部２２を流れる電流は、逆向きに流れる。このため、第二近側延在部２２の周り形成される磁界が、第一遠側延在部１３の周りに形成される磁界により打ち消される。よって、第一遠側延在部１３のインピーダンス及び第二近側延在部２２のインピーダンスを小さくすることができる。
【００６８】
本実施形態における第一中間接続部１４と第二中間接続部２４とが交差している交差領域Ｒｄでは、第一中間接続部１４を流れる電流の方向成分のうちの並び方向Ｄａの成分に対して、第二中間接続部２４を流れる電流の方向成分のうちの並び方向Ｄａの成分は、同じ方向で且つ同じ第一側Ｄａ１である。このため、第一中間接続部１４の周り形成される磁界が、第二中間接続部２４の周りに形成される磁界によって強められ、各中間接続部１４，２４におけるインダクタンスが大きくなる。しかしながら、第一中間接続部１４を流れる電流の方向に対して、第二中間接続部２４を流れる電流の方向が、一定の角度を持って交差させることで、この強め合う効果を少なくすることができる。よって、第一中間接続部１４のインピーダンス及び第二中間接続部２４のインピーダンスを小さくすることができる。
【００６９】
よって、本実施形態では、第一配線１０の周りに形成される磁界と第二配線２０の周りに形成される磁界との相互作用により、第一配線１０及び第二配線２０のインピーダンスを小さくすることができる。
【００７０】
図６に示すように、本実施形態における第一コンデンサ３１に関する配線インダクタンスを第一値Ｉ１、第二コンデンサ３２に関する配線インダクタンスを第二値Ｉ２、第三コンデンサ３３に関する配線インダクタンスを第三値Ｉ３、第四コンデンサ３４に関する配線インダクタンスを第四値Ｉ４とする。この場合、本実施形態における各コンデンサ３０に関する配線インダクタンスＩの大小関係は、以下のようになる。
第一値Ｉ１≒第三値Ｉ３＜第二値Ｉ２≒第四値Ｉ４
【００７１】
以上のように、本実施形態では、複数のコンデンサ３０のうち、仮想中心線Ｌｃを基準にして互いに対称に配置されている二つのコンデンサ３０に関する配線インダクタンスがほぼ等しくなる。よって、本実施形態では、第一比較例及び第二比較例よりも、各コンデンサ３０に関する配線インダクタンスのばらつきを小さくすることができる。
【００７２】
「第二実施形態」
本発明に係るインバータ装置の第二実施形態について、図９を参照して説明する。
【００７３】
第二実施形態を含む以下の各実施形態におけるインバータ装置は、第一実施形態におけるインバータ装置に対して、スナバ回路のみが異なる。そこで、以下では、以下の各実施形態におけるスナバ回路について説明する。
【００７４】
本実施形態におけるスナバ回路９ａも、第一実施形態におけるスナバ回路９と同様、パワーモジュール５の第一端子６ｎに接続されている第一配線１０ａと、パワーモジュール５の第二端子６ｐに接続されている第二配線２０ａと、第一配線１０ａと第二配線２０ａとに接続されている複数のコンデンサ３０と、これらが搭載される基板８と、を備える。
【００７５】
第一配線１０ａは、第一実施形態における第一配線１０と同様、第一近側延在部１２ａと、第一遠側延在部１３ａと、第一中間接続部１４ａと、第一端子接続部１１ａと、を有する。第一端子接続部１１ａは、第一端子６ｎから遠側Ｄｃｆに延びる。第一近側延在部１２ａは、第一端子接続部１１ａにおける遠側Ｄｃｆの端部から第一側Ｄａ１に延びている。第一遠側延在部１３ａは、並び方向Ｄａに延びている。この第一遠側延在部１３ａは、第一近側延在部１２ａより遠側Ｄｃｆで且つ並び方向Ｄａで後述の第二端子接続部２１と同じ位置から第二側Ｄａ２に延びている。第一中間接続部１４ａは、第一近側延在部１２ａと第一遠側延在部１３ａとを接続する。この第一中間接続部１４ａは、遠側Ｄｃｆに向かうに連れて次第に第二側Ｄａ２に向かうよう延びている。
【００７６】
第二配線２０ａは、第一実施形態における第二配線２０と同様、第二近側延在部２２ａと、第二遠側延在部２３ａと、第二中間接続部２４ａと、第二端子接続部２１ａと、を有する。第二端子接続部２１ａは、第二端子６ｐから遠側Ｄｃｆに延びる。第二近側延在部２２ａは、第二端子接続部２１ａの遠側Ｄｃｆの端部から第二側Ｄａ２に延びている。交差方向Ｄｃで、第二端子接続部２１ａにおける遠側Ｄｃｆの端部の位置は、第一端子接続部１１ａにおける遠側Ｄｃｆの端部の位置と同じである。よって、交差方向Ｄｃで、第二近側延在部２２ａの位置は、第一近側延在部１２ａの位置と同じである。第二遠側延在部２３ａは、並び方向Ｄａに延びている。この第二遠側延在部２３ａは、交差方向Ｄｃで第一近側延在部１２ａと同じ位置で且つ並び方向Ｄａで第一端子接続部１１ａと同じ位置から第一側Ｄａ１に延びている。第二中間接続部２４ａは、第二近側延在部２２ａと第二遠側延在部２３ａとを接続する。この第二中間接続部２４ａは、遠側Ｄｃｆに向かうに連れて次第に第一側Ｄａ１に向かうよう延びている。
【００７７】
第一端子接続部１１ａと第二端子接続部２１ａとは、並び方向Ｄａで対向している。第一近側延在部１２ａと第二遠側延在部２３ａとは、交差方向Ｄｃで対向している。但し、第一実施形態と異なり、第一近側延在部１２ａの一部が、基板８の厚さ方向から見て、第二遠側延在部２３ａの一部と重なっている。第一遠側延在部１３ａと第二近側延在部２２ａとは、交差方向Ｄｃで対向している。但し、第一実施形態と異なり、第一遠側延在部１３ａの一部が、基板８の厚さ方向から見て、第二近側延在部２２ａの一部と重なっている。第一中間接続部１４ａと第二中間接続部２４ａとは、基板８の厚さ方向から見て、交差している。
【００７８】
第二配線２０ａは、仮想中心線Ｌｃを基準にして、第一配線１０ａと対称な形状である。
【００７９】
本実施形態におけるスナバ回路９ａも、第一実施形態おけるスナバ回路９と同様、四つのコンデンサ３０を備える。四つのコンデンサ３０は、互いに同じ容量で且つ同じサイズである。四つのコンデンサ３０は、いずれも、第一配線１０ａの延在部１２ａ，１３ａ及び第二配線２０ａの延在部２２ａ，２３ａに接続されている。四つのコンデンサ３０は、並び方向Ｄａに並んでいる。
【００８０】
各コンデンサ３０におけるコンデンサ第一端子３６とコンデンサ第二端子３７とを接続する仮想接続線Ｌｔは、いずれも交差方向Ｄｃに延び、互いに平行である。第三コンデンサ３３は、前述の仮想中心線Ｌｃを基準にして第一コンデンサ３１と対称な位置に配置されている。第四コンデンサ３４は、仮想中心線Ｌｃを基準にして第二コンデンサ３２と対称な位置に配置されている。
【００８１】
以上で説明したように、本実施形態におけるスナバ回路９ａは、第一実施形態におけるスナバ回路９の構成と基本的に同じである。よって、本実施形態でも、第一配線１０ａのインダクタンスと第二配線２０ａのインダクタンスとのアンバランスを抑え、コモンモードノイズの発生を抑制することができる。また、本実施形態でも、第一配線１０ａの周りに形成される磁界と第二配線２０ａの周りに形成される磁界との相互作用により、第一配線１０ａ及び第二配線２０ａのインピーダンスを小さくすることができる。さらに、本実施形態でも、各コンデンサ３０に関する配線インダクタンスのばらつきを小さくすることができる。
【００８２】
ところで、本実施形態では、第一遠側延在部１３ａの近側Ｄｃｎの縁を含む近側部分１３ａｎは、第二近側延在部２２ａの遠側Ｄｃｆの縁を含む遠側部分２２ａｆに対して、並び方向Ｄａの全域で、基板８の厚さ方向から見て重なっている。第一遠側延在部１３ａの遠側Ｄｃｆの縁で、第一コンデンサ３１と第二コンデンサ３２との間の部分は、近側Ｄｃｎに凹んでいる。つまり、第一遠側延在部１３ａは、近側Ｄｃｎに凹む第一遠側凹部１６ａを有する。また、第二近側延在部２２ａの近側Ｄｃｎの縁で、第一コンデンサ３１と第二コンデンサ３２との間の部分は、遠側Ｄｃｆに凹んでいる。つまり、第二近側延在部２２ａは、遠側Ｄｃｆに凹む第二近側凹部２５ａを有する。
【００８３】
また、本実施形態では、第一近側延在部１２ａの遠側Ｄｃｆの縁を含む遠側部分１２ａｆは、第二遠側延在部２３ａの近側Ｄｃｎの縁を含む近側部分２３ａｎに対して、並び方向Ｄａの全域で、基板８の厚さ方向から見て重なっている。第一近側延在部１２ａの近側Ｄｃｎの縁で、第三コンデンサ３３と第四コンデンサ３４との間の部分は、遠側Ｄｃｆに凹んでいる。つまり、第一近側延在部１２ａは、遠側Ｄｃｆに凹む第一近側凹部１５ａを有する。また、第二遠側延在部２３ａの遠側Ｄｃｆの縁で、第三コンデンサ３３と第四コンデンサ３４との間の部分は、近側Ｄｃｎに凹んでいる。つまり、第二遠側延在部２３ａは、近側Ｄｃｎに凹む第二遠側凹部２６ａを有する。
【００８４】
第一配線１０ａと第二配線２０ａとの間であって、基板８の厚さ方向から見て第一配線１０ａと第二配線２０ａとが重なっている部分には、絶縁材が配置されている。
【００８５】
以上のように、本実施形態では、第一遠側延在部１３ａの一部と第二近側延在部２２ａの一部とが基板８の厚さ方向から見て重なっている。また、本実施形態では、第一近側延在部１２ａの一部と第二遠側延在部２３ａの一部とが基板８の厚さ方向から見て重なっている。よって、本実施形態では、第一配線１０ａの周りに形成される磁界と第二配線２０ａの周りに形成される磁界との相互作用が第一実施形態よりも大きくなり、第一実施形態よりも第一配線１０ａ及び第二配線２０ａのインピーダンスを小さくすることができる。
【００８６】
「第三実施形態」
本発明に係るインバータ装置の第三実施形態について、図１０を参照して説明する。
【００８７】
本実施形態におけるスナバ回路９ｂは、第二実施形態におけるスナバ回路９ａの変形例である。本実施形態におけるスナバ回路９ｂも、第一実施形態及び第二実施形態におけるスナバ回路と同様、パワーモジュール５の第一端子６ｎに接続されている第一配線１０ｂと、パワーモジュール５の第二端子６ｐに接続されている第二配線２０ｂと、第一配線１０ｂと第二配線２０ｂとに接続されている複数のコンデンサ３０と、これらが搭載される基板８と、を備える。
【００８８】
本実施形態における第一配線１０ｂは、第二実施形態と同様、第一近側延在部１２ｂと、第一遠側延在部１３ｂと、第一中間接続部１４ｂと、第一端子接続部１１ｂと、を有する。但し、本実施形態における第一近側延在部１２ｂは、第二実施形態における第一近側延在部１２ａが有する第一近側凹部１５ａを有していない。また、本実施形態における第一遠側延在部１３ｂは、第二実施形態における第一遠側延在部１３ａが有する第一遠側凹部１６ａを有していない。一方、本実施形態における第一遠側延在部１３ｂの近側Ｄｃｎの縁を含む近側部分１３ｂｎは、第二実施形態における第一遠側延在部１３ａと同様、第二近側延在部２２ｂの遠側Ｄｃｆの縁を含む遠側部分２２ｂｆに対して、並び方向Ｄａの全域で、基板８の厚さ方向から見て重なっている。したがって、本実施形態における第一配線１０ｂは、第二実施形態における第一配線１０ａと比べて、全配線長が同じでも配線面積を大きくすることができる。よって、本実施形態では、第二実施形態よりも、第一配線１０ｂのインダクタンスを小さくすることができる。
【００８９】
本実施形態における第二配線２０ｂは、第二実施形態と同様、第二近側延在部２２ｂと、第二遠側延在部２３ｂと、第二中間接続部２４ｂと、第二端子接続部２１ｂと、を有する。但し、本実施形態における第二近側延在部２２ｂは、第二実施形態における第二近側延在部２２ａが有する第二近側凹部２５ａを有していない。また、本実施形態における第二遠側延在部２３ｂは、第二実施形態における第二遠側延在部２３ａが有する第二遠側凹部２６ａを有していない。一方、本実施形態における第一近側延在部１２ｂの遠側Ｄｃｆの縁を含む遠側部分１２ｂｆは、第二実施形態における第一近側延在部１２ａと同様、第二遠側延在部２３ｂの近側Ｄｃｎの縁を含む近側部分２３ｂｎに対して、並び方向Ｄａの全域で、基板８の厚さ方向から見て重なっている。したがって、本実施形態における第二配線２０ｂは、第二実施形態における第二配線２０ａと比べて、全配線長が同じでも配線面積を大きくすることができる。よって、本実施形態では、第二実施形態よりも、第二配線２０ｂのインダクタンスを小さくすることができる。
【００９０】
「第四実施形態」
本発明に係るインバータ装置の第四実施形態について、図１１を参照して説明する。
【００９１】
本実施形態におけるスナバ回路９ｃも、以上の各実施形態におけるスナバ回路と同様、パワーモジュール５の第一端子６ｎに接続されている第一配線１０ｃと、パワーモジュール５の正極端子６ｐの第二端子６ｐに接続されている第二配線２０ｃと、第一配線１０ｃと第二配線２０ｃとに接続されている複数のコンデンサ３０ｃと、これらが搭載される基板８と、を備える。本実施形態における第一配線１０ｃも、以上の各実施形態における第一配線と同様、第一近側延在部１２ｃと、第一遠側延在部１３ｃと、第一中間接続部１４ｃと、第一端子接続部１１ｃと、を有する。また、本実施形態における第二配線２０ｃも、以上の各実施形態における第二配線と同様、第二近側延在部２２ｃと、第二遠側延在部２３ｃと、第二中間接続部２４ｃと、第二端子接続部２１ｃと、を有する。
【００９２】
コンデンサ第一端子３６とコンデンサ第二端子３７とのうち、一方のコンデンサ端子と、他方のコンデンサ端子に接続される配線との絶縁間距離を大きくする必要がある場合や、コンデンサ３０ｃが大きい場合がある。これらの場合、第一〜第三実施形態では、第一近側延在部に対する第二遠側延在部における交差方向のオフセット量を大きくし、第二近側延在部に対する第一遠側延在部における交差方向Ｄｃのオフセット量を大きくすれば、対応可能である。しかしながら、このように対応すると、スナバ回路における交差方向Ｄｃの長さが長くなる。
【００９３】
本実施形態におけるスナバ回路９ｃでは、以上のような場合でも、スナバ回路９ｃにおける交差方向Ｄｃの長さが長くなるのを抑制することができる。
【００９４】
本実施形態では、第一近側延在部１２ｃにおける第一側Ｄａ１の縁が、第二遠側延在部２３ｃにおける第一側Ｄａ１の縁より第一側Ｄａ１に位置している。また、第二近側延在部２２ｃにおける第二側Ｄａ２の縁が、第一遠側延在部１３ｃにおける第二側Ｄａ２の縁より第二側Ｄａ２に位置している。
【００９５】
第一遠側延在部１３ｃにおける近側Ｄｃｎの縁の延長線とこの第一遠側延在部１３ｃにおける第二側Ｄａ２の縁の延長線とが交差する交差部では、交差部に含まれる縁１８ｃの線が、第一遠側延在部１３ｃにおける近側Ｄｃｎの縁の線及び第一遠側延在部１３ｃにおける第二側Ｄａ２の縁の線に対して傾斜している。つまり、この交差部に含まれる縁１８ｃは、第二近側延在部２２ｃの近側Ｄｃｎの縁に対して遠側Ｄｃｆに逃げている。交差部に含まれる縁は、第一遠側逃げ部１８ｃを成す。
【００９６】
第二遠側延在部２３ｃにおける近側Ｄｃｎの縁の延長線とこの第二遠側延在部２３ｃにおける第一側Ｄａ１の縁の延長線とが交差する交差部では、交差部に含まれる縁２８ｃの線が、第二遠側延在部２３ｃにおける近側Ｄｃｎの縁の線及び第二遠側延在部２３ｃにおける第一側Ｄａ１の縁の線に対して傾斜している。つまり、この交差部に含まれる縁２８ｃは、第一近側延在部１２ｃの近側Ｄｃｎの縁に対して遠側Ｄｃｆに逃げている。交差部に含まれる縁は、第二遠側逃げ部２８ｃを成す。
【００９７】
第一端子接続部１１ｃと第一近側延在部１２ｃとの接続部における遠側Ｄｃｆの縁１７ｃは、この接続部を除く第一近側延在部１２ｃにおける遠側Ｄｃｆの縁より近側Ｄｃｎに位置している。つまり、第一端子接続部１１ｃと第一近側延在部１２ｃとの接続部における遠側Ｄｃｆの縁１７ｃは、この接続部を除く第一近側延在部１２ｃにおける遠側Ｄｃｆの縁に対して近側Ｄｃｎに逃げている。この第一端子接続部１１ｃと第一近側延在部１２ｃとの接続部における遠側Ｄｃｆの縁は、第一近側逃げ部１７ｃを成す。
【００９８】
第二端子接続部２１ｃと第二近側延在部２２ｃとの接続部における遠側Ｄｃｆの縁２７ｃは、この接続部を除く第二近側延在部２２ｃにおける遠側Ｄｃｆの縁より近側Ｄｃｎに位置している。つまり、第二端子接続部２１ｃと第二近側延在部２２ｃとの接続部における遠側Ｄｃｆの縁２７ｃは、この接続部を除く第二近側延在部２２ｃにおける遠側Ｄｃｆの縁に対して近側Ｄｃｎに逃げている。この第二端子接続部２１ｃと第二近側延在部２２ｃとの接続部における遠側Ｄｃｆの縁は、第二近側逃げ部２７ｃを成す。
【００９９】
第一コンデンサ３１ｃのコンデンサ第二端子３７は、第二端子接続部２１ｃ中で第二近側延在部２２ｃにおける近側Ｄｃｎの縁より近側Ｄｃｎの位置に接続されている。このため、この第一コンデンサ３１ｃにおけるコンデンサ第一端子３６とコンデンサ第二端子３７との間の距離であるコンデンサ端子間距離が、例えば、第一実施形態の第一コンデンサ３１におけるコンデンサ端子間距離より長くでも、この第一コンデンサ３１ｃのコンデンサ第一端子３６を第一配線１０ｃに接続し、この第一コンデンサ３１ｃのコンデンサ第二端子３７を第二配線２０ｃに接続することができる。しかも、この第一コンデンサ３１ｃのコンデンサ第一端子３６を、例えば、第一実施形態の第一コンデンサ３１のコンデンサ第一端子３６と交差方向Ｄｃで同じ位置にすることができる。また、第一コンデンサ３１ｃのコンデンサ第二端子３７に対して、第一コンデンサ３１ｃのコンデンサ第一端子３６が接続されている第一配線１０ｃとの絶縁間距離ｄを大きくすることができる。
【０１００】
第一コンデンサ３１ｃのコンデンサ第一端子３６は、第一遠側延在部１３ｃ中で第二近側逃げ部２７ｃと並び方向Ｄａで同じ位置に接続されている。このため、この第一コンデンサ３１ｃのコンデンサ第一端子３６に対して、第一コンデンサ３１ｃのコンデンサ第二端子３７が接続されている第二配線２０ｃとの絶縁間距離ｄを大きくすることができる。
【０１０１】
第三コンデンサ３３ｃのコンデンサ第一端子３６は、第一端子接続部１１ｃ中で第一近側延在部１２ｃにおける近側Ｄｃｎの縁より近側Ｄｃｎの位置に接続されている。このため、この第三コンデンサ３３ｃにおけるコンデンサ端子間距離が、例えば、第一実施形態の第一コンデンサ３１におけるコンデンサ端子間距離より長くでも、この第三コンデンサ３３ｃのコンデンサ第一端子３６を第一配線１０ｃに接続し、この第三コンデンサ３３ｃのコンデンサ第二端子３７を第二配線２０ｃに接続することができる。しかも、この第三コンデンサ３３ｃのコンデンサ第二端子３７を、例えば、第一実施形態の第三コンデンサ３３のコンデンサ第二端子３７と交差方向Ｄｃで同じ位置にすることができる。また、第三コンデンサ３３ｃのコンデンサ第一端子３６に対して、第三コンデンサ３３ｃのコンデンサ第二端子３７が接続されている第二配線２０ｃとの絶縁間距離ｄを大きくすることができる。
【０１０２】
第三コンデンサ３３ｃのコンデンサ第一端子３６は、第二遠側延在部２３ｃ中で第一近側逃げ部１７ｃと並び方向Ｄａで同じ位置に接続されている。このため、この第三コンデンサ３３ｃのコンデンサ第一端子３６に対して、第三コンデンサ３３ｃのコンデンサ第二端子３７が接続されている第一配線１０ｃとの絶縁間距離ｄを大きくすることができる。
【０１０３】
第二コンデンサ３２ｃのコンデンサ第二端子３７は、第二近側延在部２２ｃ中で第一遠側延在部１３ｃにおける第二側Ｄａ２の縁よりも第二側Ｄａ２の位置に接続されている。また、第二コンデンサ３２ｃにおけるコンデンサ第一端子３６は、第一遠側延在部１３ｃ中で第一コンデンサ３１ｃにおけるコンデンサ第一端子３６が接続されている位置よりも第二側Ｄａ２で且つ遠側Ｄｃｆの位置に接続されている。よって、この第二コンデンサ３２ｃにおける仮想接続線Ｌｔは、並び方向Ｄａ及び交差方向Ｄｃに対して傾斜した方向である。このため、この第二コンデンサ３２ｃにおけるコンデンサ端子間距離が、例えば、第一実施形態の第二コンデンサ３２におけるコンデンサ端子間距離より長くでも、この第二コンデンサ３２ｃのコンデンサ第二端子３７を第二配線２０ｃに接続し、この第二コンデンサ３２ｃのコンデンサ第一端子３６を第一配線１０ｃに接続することができる。しかも、この第二コンデンサ３２ｃのコンデンサ第二端子３７が、例えば、第一実施形態の第二コンデンサ３２のコンデンサ第二端子３７と交差方向Ｄｃで同じ位置であっても、この第二コンデンサ３２ｃのコンデンサ第一端子３６の交差方向Ｄｃにおける位置を、第一実施形態の第二コンデンサ３２のコンデンサ第一端子３６の交差方向Ｄｃにおける位置よりも、わずかに遠側Ｄｃｆに位置させればよい。
【０１０４】
第二コンデンサ３２ｃのコンデンサ第二端子３７に対して、第二コンデンサ３２ｃのコンデンサ第一端子３６が接続されている第一配線１０ｃ中で最も近い部分は、第一遠側逃げ部１８ｃである。このため、この第二コンデンサ３２ｃのコンデンサ第二端子３７に対して、第二コンデンサ３２ｃのコンデンサ第一端子３６が接続されている第一配線１０ｃとの絶縁間距離ｄを大きくすることができる。
【０１０５】
第二コンデンサ３２ｃのコンデンサ第一端子３６は、前述したように、第一遠側延在部１３ｃ中で第一コンデンサ３１ｃのコンデンサ第一端子３６が接続されている位置よりも遠側Ｄｃｆの位置に接続されている。このため、この第二コンデンサ３２ｃのコンデンサ第一端子３６に対して、第二コンデンサ３２ｃのコンデンサ第二端子３７が接続されている第二配線２０ｃとの絶縁間距離ｄを大きくすることができる。
【０１０６】
第四コンデンサ３４ｃのコンデンサ第一端子３６は、第一近側延在部１２ｃ中で第二遠側延在部２３ｃにおける第一側Ｄａ１の縁よりも第一側Ｄａ１の位置に接続されている。また、第四コンデンサ３４ｃにおけるコンデンサ第二端子３７は、第二遠側延在部２３ｃ中で第三コンデンサ３３ｃにおけるコンデンサ第二端子３７が接続されている位置よりも第一側Ｄａ１で且つ遠側Ｄｃｆの位置に接続されている。よって、この第四コンデンサ３４ｃにおける仮想接続線Ｌｔは、並び方向Ｄａ及び交差方向Ｄｃに対して傾斜した方向である。このため、この第四コンデンサ３４ｃにおけるコンデンサ端子間距離が、例えば、第一実施形態の第四コンデンサ３４におけるコンデンサ端子間距離より長くでも、この第四コンデンサ３４ｃのコンデンサ第一端子３６を第一配線１０ｃに接続し、この第二コンデンサ３２ｃのコンデンサ第二端子３７を第二配線２０ｃに接続することができる。しかも、この第四コンデンサ３４ｃのコンデンサ第一端子３６が、例えば、第一実施形態の第四コンデンサ３４のコンデンサ第一端子３６と交差方向Ｄｃで同じ位置であっても、この第四コンデンサ３４ｃのコンデンサ第二端子３７の交差方向Ｄｃにおける位置を、第一実施形態の第四コンデンサ３４のコンデンサ第二端子３７の交差方向Ｄｃにおける位置よりも、わずかに遠側Ｄｃｆに位置させればよい。
【０１０７】
第四コンデンサ３４ｃのコンデンサ第一端子３６に対して、第四コンデンサ３４ｃのコンデンサ第二端子３７が接続されている第二配線２０ｃ中で最も近い部分は、第二遠側逃げ部２８ｃである。このため、この第四コンデンサ３４ｃのコンデンサ第一端子３６に対して、第四コンデンサ３４ｃのコンデンサ第二端子３７が接続されている第二配線２０ｃとの絶縁間距離ｄを大きくすることができる。
【０１０８】
第四コンデンサ３４ｃのコンデンサ第二端子３７は、前述したように、第二遠側延在部２３ｃ中で第三コンデンサ３３ｃのコンデンサ第二端子３７が接続されている位置よりも遠側Ｄｃｆの位置に接続されている。このため、この第四コンデンサ３４ｃのコンデンサ第二端子３７に対して、第四コンデンサ３４ｃのコンデンサ第一端子３６が接続されている第一配線１０ｃとの絶縁間距離ｄを大きくすることができる。
【０１０９】
以上のように、各配線の形状、各コンデンサ３０ｃの配置や向きを考慮することで、絶縁間距離ｄを大きくする必要がある場合やコンデンサ３０ｃが大きい場合でも、スナバ回路９ｃにおける交差方向Ｄｃの長さが長くなるのを抑制することができる。
【０１１０】
本実施形態では、前述したように、第一近側延在部１２ｃにおける第一側Ｄａ１の縁が、第二遠側延在部２３ｃにおける第一側Ｄａ１の縁より第一側Ｄａ１に位置している。また、第二近側延在部２２ｃにおける第二側Ｄａ２の縁が、第一遠側延在部１３ｃにおける第二側Ｄａ２の縁より第二側Ｄａ２に位置している。しかしながら、第一近側延在部１２ｃにおける第一側Ｄａ１の縁が、第二遠側延在部２３ｃにおける第一側Ｄａ１の縁より第二側Ｄａ２に位置し、第二近側延在部２２ｃにおける第二側Ｄａ２の縁が、第一遠側延在部１３ｃにおける第二側Ｄａ２の縁より第一側Ｄａ１に位置してもよい。
【０１１１】
「第五実施形態」
本発明に係るインバータ装置の第五実施形態について、図１２を参照して説明する。
【０１１２】
本実施形態におけるスナバ回路９ｄは、第一実施形態におけるスナバ回路９の変形例である。本実施形態におけるスナバ回路９ｄは、第一実施形態におけるスナバ回路９と、コンデンサ３０の数が異なっている。本実施形態におけるスナバ回路９ｄのその他の構成は、第一実施形態におけるスナバ回路９の構成と基本的に同じである。
【０１１３】
第一実施形態におけるスナバ回路９は、偶数個である四つのコンデンサ３０を備える。このように、コンデンサ３０の数が偶数個の場合、コンデンサ総数の半部を第一近側延在部１２と第二遠側延在部２３とに接続し、残りのコンデンサ３０を第二近側延在部２２と第一遠側延在部１３とに接続しても、第一配線１０と第二配線２０との対称性や、複数のコンデンサ３０の配置対称性を維持することができる。しかしながら、コンデンサ３０の数が奇数個の場合、複数のコンデンサ３０のうちいくつかを第一近側延在部１２と第二遠側延在部２３とに接続し、残りのコンデンサ３０を第二近側延在部２２と第一遠側延在部１３とに接続すると、第一配線１０と第二配線２０との対称性や、複数のコンデンサ３０の配置対称性を維持することができない。このため、この場合、コモンモードノイズが発生する等の不具合が生じる。
【０１１４】
本実施形態におけるスナバ回路９ｄは、奇数個である五つのコンデンサ３０を備える。五つのコンデンサ３０のうち、第一コンデンサ３１及び第二コンデンサ３２は、第一実施形態と同様に、第一近側延在部１２と第二遠側延在部２３とに接続されている。また、第三コンデンサ３３及び第四コンデンサ３４は、第二近側延在部２２と第一遠側延在部１３とに接続されている。残りの一つの第五コンデンサ３５は、第一端子接続部１１と第二端子接続部２１とに接続されている。この第五コンデンサ３５の仮想接続線Ｌｔは、他のコンデンサ３０の仮想接続線Ｌｔと異なり、並び方向Ｄａに延びている。
【０１１５】
以上のように、コンデンサ３０の数が奇数個の場合でも、一つのコンデンサ３０を第一端子接続部１１と第二端子接続部２１とに接続することで、第一配線１０と第二配線２０との対称性や、複数のコンデンサ３０の配置対称性を維持することができる。よって、コンデンサ３０の数が奇数個の場合でも、コモンモードノイズが発生する等の抑制することができる。
【０１１６】
本実施形態は、第一実施形態の変形例である。しかしながら、第二〜第四実施形態、さらに、後述の第六実施形態において、コンデンサ３０の数を奇数個にする場合、本実施形態と同様に、一つのコンデンサ３０を第一端子接続部１１と第二端子接続部２１とに接続することが好ましい。
【０１１７】
「第六実施形態」
本発明に係るインバータ装置の第六実施形態について、図１３〜図１５を参照して説明する。
【０１１８】
本実施形態におけるスナバ回路９ｅも、図１３に示すように、以上の各実施形態におけるスナバ回路と同様、パワーモジュール５の第一端子６ｎに接続されている第一配線１０ｅと、パワーモジュール５の第二端子６ｐに接続されている第二配線２０ｅと、第一配線１０ｅと第二配線２０ｅとに接続されている四つのコンデンサ３０と、これらが搭載される基板８と、を備える。本実施形態における第一配線１０ｅも、以上の各実施形態における第一配線と同様、第一近側延在部１２ｅと、第一遠側延在部１３ｅと、第一中間接続部１４ｅと、第一端子接続部１１ｅと、を有する。また、本実施形態における第二配線２０ｅも、以上の各実施形態における第二配線と同様、第二近側延在部２２ｅと、第二遠側延在部２３ｅと、第二中間接続部２４ｅと、第二端子接続部２１ｅと、を有する。
【０１１９】
本実施形態における第一端子接続部１１ｅは、図１３及び図１４に示すように、以上の各実施形態における第一端子接続部と同様、第一端子６ｎから交差方向Ｄｃに延びている。本実施形態における第一近側延在部１２ｅは、以上の各実施形態における第一近側延在部１２ｅと異なり、第一端子接続部１１ｅにおける遠側Ｄｃｆの端部から第二側Ｄａ２に延びている。本実施形態における第一中間接続部１４ｅは、以上の各実施形態における第一中間接続部１４ｅと異なり、第一近側延在部１２ｅにおける第二側Ｄａ２の端部から第二側Ｄａ２に向かいつつ遠側Ｄｃｆに向かう方向に延びている。本実施形態における第一遠側延在部１３ｅは、第一中間接続部１４ｅにおける第二側Ｄａ２の端部から第二側Ｄａ２に延びている。
【０１２０】
本実施形態における第二端子接続部２１ｅは、図１３及び図１５に示すように、以上の各実施形態における第二端子接続部と同様、第二端子６ｐから交差方向Ｄｃに延びている。但し、この第二端子接続部２１ｅにおける交差方向Ｄｃの長さは、第一端子接続部１１ｅにおける交差方向Ｄｃの長さより長い。このため、この第二端子接続部２１ｅにおける遠側Ｄｃｆの端部は、第一端子接続部１１ｅにおける遠側Ｄｃｆの端部より遠側Ｄｃｆに位置している。本実施形態における第二近側延在部２２ｅは、第二端子接続部２１ｅにおける交差方向Ｄｃの中間部分から第二側Ｄａ２に延びている。本実施形態における第二中間接続部２４ｅは、第二端子接続部２１ｅの遠側Ｄｃｆの端部から第二側Ｄａ２に向かいつつ近側Ｄｃｎに向かう方向に延びて、第二近側延在部２２ｅに接続されている。本実施形態における第二遠側延在部２３ｅは、第二端子接続部２１ｅにおける遠側Ｄｃｆの端部から、言い換えると、第二中間接続部２４ｅの遠側Ｄｃｆの端部から、第一側Ｄａ１に延びている。
【０１２１】
第一近側延在部１２ｅは、第二遠側延在部２３ｅに対して近側Ｄｃｎに位置して、交差方向Ｄｃで対向している。また、第一遠側延在部１３ｅは、第二近側延在部２２ｅに対して遠側Ｄｃｆに位置して、交差方向Ｄｃで対向している。第二中間接続部２４ｅは、基板８の厚さ方向から見て、第一中間接続部１４ｅと交差している。
【０１２２】
以上のように、本実施形態における第一配線１０ｅ及び第二配線２０ｅは、以上の実施形態と異なり、仮想中心線Ｌｃを基準にして、第二側Ｄａ２に偏って配置されている。また、第二配線２０ｅは、仮想中心線Ｌｃを基準として、第一配線１０ｅと対称ではない。
【０１２３】
第一コンデンサ３１及び第二コンデンサ３２は、以上の各実施形態と同様、第一遠側延在部１３ｅと第二近側延在部２２ｅとに接続されている。第三コンデンサ３３及び第四コンデンサ３４は、以上の各実施形態と同様、第一近側延在部１２ｅと第二遠側延在部２３ｅとに接続されている。
【０１２４】
本実施形態における第一配線１０ｅと第二配線２０ｅとは、以上の実施形態と異なり、仮想中心線Ｌｃを基準とした対称性がないため、本実施形態における複数のコンデンサ３０の配置も対称性がない。
【０１２５】
本実施形態におけるスナバ回路９ｅは、以上の各実施形態のスナバ回路や第二比較例におけるスナバ回路９ｙと同様、第一配線１０ｅが並び方向Ｄａに延びる延在部１２ｅ，１３ｅを有し、第二配線２０ｅが並び方向Ｄａに延びる延在部２２ｅ，２３ｅを有する。このため、本実施形態におけるスナバ回路９ｅも、以上の各実施形態や第二比較例と同様、コンデンサ３０の数の増加に伴って交差方向Ｄｃの長さが長くなることを回避することができる。
【０１２６】
繰り返すことになるが、本実施形態におけるスナバ回路９ｅは、前述の第二比較例におけるスナバ回路９と同様、第一配線１０ｅが並び方向Ｄａに延びる延在部１２ｅ，１３ｅを有し、第二配線２０ｅが並び方向Ｄａに延びる延在部２２ｅ，２３ｅを有する。しかしながら、本実施形態における第一配線１０ｅと第二配線２０ｅとは、以上の各実施形態と同様、互いに交差しているため、第二比較例のよう、第一配線１０ｙが第二配線２０ｙの外側を遠回りするように配置されることはなく、第一配線１０ｅの全配線長と第二配線２０ｅの全配線長を容易に等しくすることができる。このため、本実施形態でも、以上の各実施形態と同様、第一配線１０ｅのインダクタンスと第二配線２０ｅのインダクタンスとのアンバランスを抑え、コモンモードノイズの発生を抑制することができる。
【０１２７】
また、本実施形態における第一配線１０ｅ及び第二配線２０ｅは、前述したように、仮想中心線Ｌｃを基準にして、第二側Ｄａ２に偏って配置されている。よって、本実施形態では、以上の各実施形態よりも、スナバ回路９ｅにおける第一側Ｄａ１の占有面積を小さくすることができる。このため、本実施形態では、スナバ回路９ｅにおける第一側Ｄａ１の部分に、例えば、インバータ装置の他の回路の一部を配置することが可能になる。
【０１２８】
本実施形態では、第一配線１０ｅ及び第二配線２０ｅが仮想中心線Ｌｃを基準にして第二側Ｄａ２に偏って配置されているため、第三コンデンサ３３及び第四コンデンサ３４よりも第二側Ｄａ２に配置されている第一コンデンサ３１及び第二コンデンサ３２に関する配線インダクタンスが、電流経路長の観点から、第三コンデンサ３３及び第四コンデンサ３４に関する配線インダクタンスより大きくなる。よって、本実施形態では、各コンデンサ３０に関する配線インダクタンスのばらつきが大きくなる傾向がある。
【０１２９】
そこで、本実施形態では、第一コンデンサ３１及び第二コンデンサ３２が接続されている第一遠側延在部１３ｅ及び第二近側延在部２２ｅにおける交差方向Ｄｃの幅を、第一実施形態の第一コンデンサ３１及び第二コンデンサ３２が接続されている第一遠側延在部１３及び第二近側延在部２２における交差方向Ｄｃの幅より広くしている。さらに、本実施形態では、第三コンデンサ３３及び第四コンデンサ３４が接続されている第一近側延在部１２ｅ及び第二遠側延在部２３ｅにおける交差方向Ｄｃの幅を、第一実施形態の第三コンデンサ３３及び第四コンデンサ３４が接続されている第一近側延在部１２及び第二遠側延在部２３における交差方向Ｄｃの幅より狭くしている。よって、本実施形態の第一遠側延在部１３ｅにおける交差方向Ｄｃの幅は、本実施形態の第一近側延在部１２ｅにおける交差方向Ｄｃの幅より広い。また、本実施形態の第二近側延在部２２ｅにおける交差方向Ｄｃの幅は、本実施形態の第一遠側延在部１３ｅにおける交差方向Ｄｃの幅より広い。この結果、第一コンデンサ３１及び第二コンデンサ３２に関する配線インダクタンスを相対的に小さくすることができる一方で、第三コンデンサ３３及び第四コンデンサ３４に関する配線インダクタンスを相対的に大きくすることができ、各コンデンサ３０に関する配線インダクタンスのばらつきを小さくすることができる。
【０１３０】
本実施形態は、パワーモジュール５の負極端子を第一端子６ｎ、パワーモジュール５の正極端子を第二端子６ｐとし、負極端子（第一端子６ｎ）に対する正極端子（第二端子６ｐ）側を第二側Ｄａ２にして、第一配線１０ｅ及び第二配線２０ｅを第二側Ｄａ２（正極端子側）に偏られて配置している。しかしながら、正極端子を第一端子６ｎ、負極端子を第二端子６ｐとし、正極端子（第一端子）に対する負極端子（第二端子）側を第二側にして、第一配線１０ｅ及び第二配線２０ｅを第二側（負極端子側）に偏られて配置してもよい。
【０１３１】
また、以上の実施形態におけるスナバ回路は、４個叉は５個のコンデンサを有する。しかしながら、スナバ回路は、２個叉は３個のコンデンサを有してもよいし、６個以上のコンデンサを有してもよい。
【符号の説明】
【０１３２】
１：三相交流電源
２：負荷対象
３：ダイオード整流回路
４：ダイオード組
４ａ：ダイオード
５：パワーモジュール
６ｎ：第一端子（負極端子）
６ｐ：第二端子（正極端子）
７：スイッチング素子組
７ａ：スイッチング素子
８：基板
９，９ａ，９ｂ，９ｃ，９ｄ，９ｅ，９ｘ，９ｙ：スナバ回路
１０，１０ａ，１０ｂ，１０ｃ，１０ｅ，１０ｘ，１０ｙ：第一配線
１１，１１ａ，１１ｂ，１１ｃ，１１ｅ，１１ｙ：第一端子接続部
１２ｙ：第一延在部
１２，１２ａ，１２ｂ，１２ｃ，１２ｅ：第一近側延在部
１２ａｆ，１２ｂｆ：第一近側延在部の遠側部分
１３，１３ａ，１３ｂ，１３ｃ，１３ｅ：第一遠側延在部
１３ａｎ，１３ｂｎ：第一遠側延在部の近側部分
１４，１４ａ，１４ｂ，１４ｃ，１４ｅ：第一中間接続部
１５ａ：第一近側凹部
１６ａ：第一遠側凹部
１７ｃ：第一近側逃げ部
１８ｃ：第一遠側逃げ部
２０，２０ａ，２０ｂ，２０ｃ，２０ｅ，２０ｘ，２０ｙ：第二配線
２１，２１ａ，２１ｂ，２１ｃ，２１ｅ，２１ｙ：第二端子接続部
２２ｙ：第二延在部
２２，２２ａ，２２ｂ，２２ｃ，２２ｅ：第二近側延在部
２２ａｆ，２２ｂｆ：第二近側延在部の遠側部分
２３，２３ａ，２３ｂ，２３ｃ，２３ｅ：第二遠側延在部
２３ａｎ，２３ｂｆ：第二遠側延在部の近側部分
２４，２４ａ，２４ｂ，２４ｃ，２４ｅ：第二中間接続部
２５ａ：第二近側凹部
２６ａ：第二遠側凹部
２７ｃ：第二近側逃げ部
２８ｃ：第二遠側逃げ部
３０，３０ｃ：コンデンサ
３１，３１ｃ：第一コンデンサ
３２，３２ｃ：第二コンデンサ
３３，３３ｃ：第三コンデンサ
３４，３４ｃ：第四コンデンサ
３５：第五コンデンサ
３６：コンデンサ第一端子
３７：コンデンサ第二端子
ｄ：絶縁間距離
Ｌｃ：仮想中心線
Ｌｔ：仮想接続線
Ｄａ：並び方向
Ｄａ１：第一側
Ｄａ２：第二側
Ｄｃ：交差方向
Ｄｃｎ：近側
Ｄｃｆ：遠側
Ｒａ：端子側領域
Ｒｂ：第一側領域
Ｒｃ：第二側領域
Ｒｄ：交差領域
【図１】
2020114089.tif 000003
【図２】
2020114089.tif 000004
【図３】
2020114089.tif 000005
【図４】
2020114089.tif 000006
【図５】
2020114089.tif 000007
【図６】
2020114089.tif 000008
【図７】
2020114089.tif 000009
【図８】
2020114089.tif 000010
【図９】
2020114089.tif 000011
【図１０】
2020114089.tif 000012
【図１１】
2020114089.tif 000013
【図１２】
2020114089.tif 000014
【図１３】
2020114089.tif 000015
【図１４】
2020114089.tif 000016
【図１５】
2020114089.tif 000017